【手続補正書】
【提出日】平成28年1月21日(2016.1.21)
【手続補正１】
【補正対象書類名】特許請求の範囲
【補正対象項目名】全文
【補正方法】変更
【補正の内容】
【特許請求の範囲】
【請求項１】
二重通信ポートを有する防犯カメラであって、
（ａ）光がカメラ本体に進入するのを可能にする開口部を含む、装着面に装着可能なカメラ本体と、
（ｂ）前記カメラ本体に搭載され、前記開口部を通って前記カメラ本体に進入する光を屈折させるように位置決めされたレンズと、
（ｃ）前記カメラ本体内に配置され、前記レンズによって屈折された光を受けるように位置決めされたイメージャと、
（ｄ）前記カメラ本体の外部からアクセス可能な一次通信ポートを含み、前記一次通信ポートが、前記カメラ本体が装着された場合に前記装着面の片側に配置される、一次通信回路と、
（ｅ）前記カメラ本体の外部からアクセス可能な二次通信ポートを含み、前記二次通信ポート及び前記開口部が、前記カメラ本体が装着された場合に前記装着面の反対側に配置される、二次通信回路と、
（ｆ）前記イメージャ並びに前記一次及び二次通信回路に通信可能に結合する制御及び処理回路であって、プロセッサと、前記プロセッサに通信可能に結合し、前記二次通信ポートがアクティブリンクに結合している場合に、前記プロセッサに、前記イメージャ上に入射した光から得られるデジタル通信信号を前記二次通信ポートに送信させる、コード化されたステートメント及び命令を有するコンピュータ可読媒体とを含む、制御及び処理回路と、
を含むことを特徴とする、カメラ。
【請求項２】
前記デジタル通信信号が、前記一次及び二次通信ポートの両方に同時に送信されることを特徴とする、請求項１に記載のカメラ。
【請求項３】
前記デジタル通信信号が、前記一次通信ポート又は前記二次通信ポートに別々に送信されることを特徴とする、請求項１に記載のカメラ。
【請求項４】
前記ステートメント及び命令がさらに、前記プロセッサに、前記二次通信ポートが前記アクティブリンクに結合しているか否かを検出させ、前記二次通信ポートが前記アクティブリンクに結合している場合にのみ前記二次通信ポートに前記デジタル通信信号を送信させることを特徴とする、請求項１に記載のカメラ。
【請求項５】
前記二次通信ポートが前記アクティブリンクに結合しているか否かを検出することが、前記二次通信ポートをポーリングすることを含むことを特徴とする、請求項４に記載のカメラ。
【請求項６】
前記ステートメント及び命令がさらに、前記プロセッサに、前記二次通信ポートが前記アクティブリンクに結合していない場合に、前記デジタル通信信号を前記一次通信ポートに送信させることを特徴とする、請求項４に記載のカメラ。
【請求項７】
前記二次通信ポートが、前記カメラ本体の底面に位置することを特徴とする、請求項４に記載のカメラ。
【請求項８】
前記デジタル通信信号が、イーサネットを用いて通信される、請求項４に記載のカメラ。
【請求項９】
前記制御及び処理回路が、媒体アクセスコントローラ（ＭＡＣ）及び入力／出力制御回路をさらに含み、それらの各々が、前記プロセッサ、並びに前記一次及び二次通信回路に通信可能に結合することを特徴とする、請求項４に記載のカメラ。
【請求項１０】
前記一次通信回路が、前記一次通信ポート及び前記ＭＡＣに通信可能に結合した一次ＰＨＹを含み、前記二次通信回路が、前記二次通信ポート及び前記ＭＡＣに通信可能に結合した二次ＰＨＹを含むことを特徴とする、請求項９に記載のカメラ。
【請求項１１】
前記一次及び二次ＰＨＹが、前記ＭＡＣの共有媒体非依存インタフェース（ＭＩＩバス）及び共有管理データ入力／出力インタフェース（ＭＤＩＯバス）を通じて前記ＭＡＣに通信可能に結合することを特徴とする、請求項９に記載のカメラ。
【請求項１２】
前記一次及び二次ＰＨＹが、前記ＭＩＩバスに接続されたそれらの出力を高インピーダンス状態に設定することによって動作を開始するようにピン・ストラップされることを特徴とする、請求項１１に記載のカメラ。
【請求項１３】
前記入力／出力回路が、前記一次ＰＨＹに通信可能に結合された一次リセットラインと、前記二次ＰＨＹのリセット入力に通信可能に結合された二次リセットラインと、前記第一次及び二次のＰＨＹ上のＭＤＩＯアドレス選択入力に通信可能に結合されたアドレスラインとを含むことを特徴とする、請求項１１に記載のカメラ。
【請求項１４】
前記ステートメント及び命令がさらに、前記プロセッサに、前記二次通信ポートが前記アクティブリンクに結合していることを検出する前に、前記一次通信ポートに前記一次ＰＨＹを介して前記デジタル通信信号を送信させ、及び、前記ＭＩＩバスに接続した前記二次ＰＨＹの出力を高インピーダンス状態に設定させ、並びに、前記二次通信ポートが前記アクティブリンクに結合していることを検出した後に、
（ａ）前記一次ＰＨＹを停止させ、
（ｂ）前記二次ＰＨＹを作動させる前にアクティブリンクが存在しないことをアプリケーション層に通知させ、
（ｃ）前記ＭＩＩバスに接続した前記一次ＰＨＹの出力を高インピーダンス状態に設定させ、
（ｄ）前記ＭＩＩバスに接続した前記二次ＰＨＹの出力を高インピーダンス状態から解除し、
（ｅ）前記二次ＰＨＹを作動させ、及び
（ｆ）前記アクティブリンクが存在することを前記アプリケーション層に通知させる、
ことを特徴とする、請求項１１に記載のカメラ。
【請求項１５】
前記カメラが弾丸型カメラであることを特徴とする、請求項１に記載のカメラ。
【請求項１６】
装着面に装着可能なカメラ本体と、光が前記カメラ本体に進入するのを可能にする前記カメラ本体の開口部と、前記カメラ本体に搭載され、前記開口部を通って前記カメラ本体に進入する光を屈折させるように位置決めされたレンズと、前記カメラ本体内に配置され、前記レンズによって屈折された光を受けるように位置決めされたイメージャとを含む防犯カメラの、一次通信ポートと二次通信ポートとの間で切り換えるための方法であって、前記一次通信ポートが、前記カメラ本体が装着された場合に前記装着面の片側に配置され、前記二次通信ポート及び前記開口部が、前記カメラ本体が装着された場合に前記装着面の反対側に配置され、前記方法が、前記二次通信ポートがアクティブリンクに結合している場合に、前記イメージャ上に入射した光から得られる映像信号を含むデジタル通信信号を前記二次通信ポートに送信するステップを含むことを特徴とする、方法。
【請求項１７】
前記デジタル通信信号が、前記一次及び二次通信ポートの両方に同時に送信されることを特徴とする、請求項１６に記載の方法。
【請求項１８】
前記デジタル通信信号が、前記一次通信ポート又は前記二次通信ポートに別々に送信されることを特徴とする、請求項１６に記載の方法。
【請求項１９】
前記二次通信ポートが前記アクティブリンクに結合しているか否かを検出するステップと、前記二次通信ポートが前記アクティブリンクに結合している場合にのみ前記二次通信ポートに前記デジタル通信信号を送信するステップとをさらに含むことを特徴とする、請求項１６に記載の方法。
【請求項２０】
前記二次通信ポートが前記アクティブリンクに結合しているか否かを検出するステップが、前記二次通信ポートをポーリングするステップを含むことを特徴とする、請求項１９に記載の方法。
【請求項２１】
前記二次通信ポートが前記アクティブリンクに結合していない場合に、前記デジタル通信信号を前記一次通信ポートに送信するステップをさらに含むことを特徴とする、請求項１９に記載の方法。
【請求項２２】
前記二次通信ポートが、前記カメラ本体の底面に位置することを特徴とする、請求項１９に記載の方法。
【請求項２３】
前記デジタル通信信号が、イーサネットを用いて通信される、請求項１９に記載の方法。
【請求項２４】
前記カメラが、媒体非依存インタフェース（ＭＩＩ）バス並びに一次ＰＨＹ及び二次ＰＨＹをさらに含み、それらＰＨＹの各々が、前記ＭＩＩバスに接続された出力を有し、それを介して前記デジタル通信信号が前記一次及び二次通信ポートに送信され、前記方法が、
（ａ）前記二次通信ポートが前記アクティブリンクに結合していることを検出する前に、前記一次通信ポートに前記一次ＰＨＹを介して前記デジタル通信信号を送信するステップ、及び、前記ＭＩＩバスに接続した前記二次ＰＨＹの出力を高インピーダンス状態に設定するステップ、並びに
（ｂ）前記二次通信ポートが前記アクティブリンクに結合していることを検出した後に、
（ｉ）前記一次ＰＨＹを停止するステップ、
（ｉｉ）前記二次ＰＨＹを作動させる前にアクティブリンクが存在しないことをアプリケーション層に通知するステップ、
（ｉｉｉ）前記ＭＩＩバスに接続した前記一次ＰＨＹの出力を高インピーダンス状態に設定するステップ、
（ｉｖ）前記ＭＩＩバスに接続した前記二次ＰＨＹの出力を高インピーダンス状態から解除するステップ、
（ｖ）前記二次ＰＨＹを作動させるステップ、及び
（ｖｉ）前記アクティブリンクが存在することを前記アプリケーション層に通知するステップ、
をさらに含むことを特徴とする、請求項１９に記載の方法。
【請求項２５】
前記カメラが弾丸型カメラであることを特徴とする、請求項１６に記載の方法。
【請求項２６】
請求項１６に記載の方法をプロセッサに実行させるコード化されたステートメント及び命令を有する、非一時的なコンピュータ可読媒体。
【請求項２７】
二重通信ポートを有する防犯カメラであって、
（ａ）光がカメラ本体に進入するのを可能にする開口部を含むカメラ本体と、
（ｂ）前記カメラ本体に搭載され、前記開口部を通って前記カメラ本体に進入する光を屈折させるように位置決めされたレンズと、
（ｃ）前記カメラ本体内に配置され、前記レンズによって屈折された光を受けるように位置決めされたイメージャと、
（ｄ）前記カメラ本体に取付けられ、装着面に装着可能な取付組立体と、
（ｅ）前記取付組立体を通してアクセス可能な一次通信ポートを含む一次通信回路と、
（ｆ）前記カメラ本体を通してアクセス可能な二次通信ポートを含む二次通信回路と、
（ｇ）前記イメージャ並びに前記一次及び二次通信回路に通信可能に結合する制御及び処理回路であって、プロセッサと、前記プロセッサに通信可能に結合し、前記二次通信ポートがアクティブリンクに結合している場合に、前記プロセッサに、前記イメージャ上に入射した光から得られるデジタル通信信号を前記二次通信ポートに送信させる、コード化されたステートメント及び命令を有するコンピュータ可読媒体とを含む、制御及び処理回路と、
を含むことを特徴とする、カメラ。
【請求項２８】
前記取付組立体が、取付板に固定された装着アームを含み、取付板は、アクセスポートを含み、前記アクセスポートを通して前記一次通信ポートにアクセス可能なことを特徴とする、請求項２７に記載のカメラ。
【請求項２９】
前記アクセスポートが、前記カメラが装着された場合に前記装着面に隣接する、前記取付板の面上に配置されることを特徴とする、請求項２８に記載のカメラ。
【請求項３０】
二重通信ポートを有する防犯カメラであって、
（ａ）光が前記カメラ本体に進入するのを可能にする開口部を含む、装着面に装着可能なカメラ本体と、
（ｂ）前記カメラ本体に搭載され、前記開口部を通って前記カメラ本体に進入する光を屈折させるように位置決めされたレンズと、
（ｃ）前記カメラ本体内に配置され、前記レンズによって屈折された光を受けるように位置決めされたイメージャと、
（ｄ）前記カメラ本体の外部からアクセス可能な一次通信ポートを含み、前記一次通信ポートが、前記カメラ本体が装着された場合に前記装着面の裏側に配置される一次通信回路と、
（ｅ）前記カメラ本体の外部からアクセス可能な二次通信ポートを含み、前記二次通信ポートが、前記カメラ本体が装着された場合に前記装着面の前側に配置される、二次通信回路と、
（ｆ）前記イメージャ並びに前記一次及び二次通信回路に通信可能に結合する制御及び処理回路であって、プロセッサと、前記プロセッサに通信可能に結合し、前記二次通信ポートがアクティブリンクに結合している場合に、前記プロセッサに、前記イメージャ上に入射した光から得られるデジタル通信信号を前記二次通信ポートに送信させる、コード化されたステートメント及び命令を有するコンピュータ可読媒体とを含む、制御及び処理回路と、
を含むことを特徴とする、カメラ。
【請求項３１】
前記デジタル通信信号が、前記一次及び二次通信ポートの両方に同時に送信されることを特徴とする、請求項２７に記載のカメラ。
【請求項３２】
前記デジタル通信信号が、前記一次通信ポート又は前記二次通信ポートに別々に送信されることを特徴とする、請求項２７に記載のカメラ。
【請求項３３】
前記ステートメント及び命令がさらに、前記プロセッサに、前記二次通信ポートが前記アクティブリンクに結合しているか否かを検出させ、前記二次通信ポートが前記アクティブリンクに結合している場合にのみ前記二次通信ポートに前記デジタル通信信号を送信させることを特徴とする、請求項２７に記載のカメラ。
【請求項３４】
前記二次通信ポートが前記アクティブリンクに結合しているか否かを検出することが、前記二次通信ポートをポーリングすることを含むことを特徴とする、請求項３３に記載のカメラ。
【請求項３５】
前記ステートメント及び命令がさらに、前記プロセッサに、前記二次通信ポートが前記アクティブリンクに結合していない場合に、前記デジタル通信信号を前記一次通信ポートに送信させることを特徴とする、請求項３３に記載のカメラ。
【請求項３６】
前記二次通信ポートが、前記カメラ本体の底面に位置することを特徴とする、請求項３３に記載のカメラ。
【請求項３７】
前記デジタル通信信号が、イーサネットを用いて通信される、請求項３３に記載のカメラ。
【請求項３８】
前記制御及び処理回路が、媒体アクセスコントローラ（ＭＡＣ）及び入力／出力制御回路をさらに含み、それらの各々が、前記プロセッサ、並びに前記一次及び二次通信回路に通信可能に結合することを特徴とする、請求項３３に記載のカメラ。
【請求項３９】
前記一次通信回路が、前記一次通信ポート及び前記ＭＡＣに通信可能に結合した一次ＰＨＹを含み、前記二次通信回路が、前記二次通信ポート及び前記ＭＡＣに通信可能に結合した二次ＰＨＹを含むことを特徴とする、請求項３８に記載のカメラ。
【請求項４０】
前記一次及び二次ＰＨＹが、前記ＭＡＣの共有媒体非依存インタフェース（ＭＩＩバス）及び共有管理データ入力／出力インタフェース（ＭＤＩＯバス）を通じて前記ＭＡＣに通信可能に結合することを特徴とする、請求項３９に記載のカメラ。
【請求項４１】
前記一次及び二次ＰＨＹが、前記ＭＩＩバスに接続されたそれらの出力を高インピーダンス状態に設定することによって動作を開始するようにピン・ストラップされることを特徴とする、請求項４０に記載のカメラ。
【請求項４２】
前記入力／出力回路が、前記一次ＰＨＹに通信可能に結合された一次リセットラインと、前記二次ＰＨＹのリセット入力に通信可能に結合された二次リセットラインと、前記一次及び二次のＰＨＹ上のＭＤＩＯアドレス選択入力に通信可能に結合されたアドレスラインとを含むことを特徴とする、請求項４０に記載のカメラ。
【請求項４３】
前記ステートメント及び命令がさらに、前記プロセッサに、前記二次通信ポートが前記アクティブリンクに結合していることを検出する前に、前記一次通信ポートに前記一次ＰＨＹを介して前記デジタル通信信号を送信させ、及び、前記ＭＩＩバスに接続した前記二次ＰＨＹの出力を高インピーダンス状態に設定させ、並びに、前記二次通信ポートが前記アクティブリンクに結合していることを検出した後に、
（ａ）前記一次ＰＨＹを停止させ、
（ｂ）前記二次ＰＨＹを作動させる前にアクティブリンクが存在しないことをアプリケーション層に通知させ、
（ｃ）前記ＭＩＩバスに接続した前記一次ＰＨＹの出力を高インピーダンス状態に設定させ、
（ｄ）前記ＭＩＩバスに接続した前記二次ＰＨＹの出力を高インピーダンス状態から解除し、
（ｅ）前記二次ＰＨＹを作動させ、及び
（ｆ）前記アクティブリンクが存在することを前記アプリケーション層に通知させる、
ことを特徴とする、請求項４０に記載のカメラ。
【請求項４４】
前記カメラが弾丸型カメラであることを特徴とする、請求項２７に記載のカメラ。
【請求項４５】
前記デジタル通信信号が、前記一次及び二次通信ポートの両方に同時に送信されることを特徴とする、請求項３０に記載のカメラ。
【請求項４６】
前記デジタル通信信号が、前記一次通信ポート又は前記二次通信ポートに別々に送信されることを特徴とする、請求項３０に記載のカメラ。
【請求項４７】
前記ステートメント及び命令がさらに、前記プロセッサに、前記二次通信ポートが前記アクティブリンクに結合しているか否かを検出させ、前記二次通信ポートが前記アクティブリンクに結合している場合にのみ前記二次通信ポートに前記デジタル通信信号を送信させることを特徴とする、請求項３０に記載のカメラ。
【請求項４８】
前記二次通信ポートが前記アクティブリンクに結合しているか否かを検出することが、前記二次通信ポートをポーリングすることを含むことを特徴とする、請求項４７に記載のカメラ。
【請求項４９】
前記ステートメント及び命令がさらに、前記プロセッサに、前記二次通信ポートが前記アクティブリンクに結合していない場合に、前記デジタル通信信号を前記一次通信ポートに送信させることを特徴とする、請求項４７に記載のカメラ。
【請求項５０】
前記二次通信ポートが、前記カメラ本体の底面に位置することを特徴とする、請求項４７に記載のカメラ。
【請求項５１】
前記デジタル通信信号が、イーサネットを用いて通信される、請求項４７に記載のカメラ。
【請求項５２】
前記制御及び処理回路が、媒体アクセスコントローラ（ＭＡＣ）及び入力／出力制御回路をさらに含み、それらの各々が、前記プロセッサ、並びに前記一次及び二次通信回路に通信可能に結合することを特徴とする、請求項４７に記載のカメラ。
【請求項５３】
前記一次通信回路が、前記一次通信ポート及び前記ＭＡＣに通信可能に結合した一次ＰＨＹを含み、前記二次通信回路が、前記二次通信ポート及び前記ＭＡＣに通信可能に結合した二次ＰＨＹを含むことを特徴とする、請求項５２に記載のカメラ。
【請求項５４】
前記一次及び二次ＰＨＹが、前記ＭＡＣの共有媒体非依存インタフェース（ＭＩＩバス）及び共有管理データ入力／出力インタフェース（ＭＤＩＯバス）を通じて前記ＭＡＣに通信可能に結合することを特徴とする、請求項５３に記載のカメラ。
【請求項５５】
前記一次及び二次ＰＨＹが、前記ＭＩＩバスに接続されたそれらの出力を高インピーダンス状態に設定することによって動作を開始するようにピン・ストラップされることを特徴とする、請求項５４に記載のカメラ。
【請求項５６】
前記入力／出力回路が、前記一次ＰＨＹに通信可能に結合された一次リセットラインと、前記二次のＰＨＹのリセット入力に通信可能に結合された二次リセットラインと、前記一次及び二次ＰＨＹ上のＭＤＩＯアドレス選択入力に通信可能に結合されたアドレスラインとを含むことを特徴とする、請求項５４に記載のカメラ。
【請求項５７】
前記ステートメント及び命令がさらに、前記プロセッサに、前記二次通信ポートが前記アクティブリンクに結合していることを検出する前に、前記一次通信ポートに前記一次ＰＨＹを介して前記デジタル通信信号を送信させ、及び、前記ＭＩＩバスに接続した前記二次ＰＨＹの出力を高インピーダンス状態に設定させ、並びに、前記二次通信ポートが前記アクティブリンクに結合していることを検出した後に、
（ａ）前記一次ＰＨＹを停止させ、
（ｂ）前記二次ＰＨＹを作動させる前にアクティブリンクが存在しないことをアプリケーション層に通知させ、
（ｃ）前記ＭＩＩバスに接続した前記一次ＰＨＹの出力を高インピーダンス状態に設定させ、
（ｄ）前記ＭＩＩバスに接続した前記二次ＰＨＹの出力を高インピーダンス状態から解除し、
（ｅ）前記二次ＰＨＹを作動させ、及び
（ｆ）前記アクティブリンクが存在することを前記アプリケーション層に通知させる、
ことを特徴とする、請求項５４に記載のカメラ。
【請求項５８】
前記カメラが弾丸型カメラであることを特徴とする、請求項３０に記載のカメラ。
【手続補正２】
【補正対象書類名】図面
【補正対象項目名】全図
【補正方法】変更
【補正の内容】
【図１】
2016507171.tif 000001
【図２】
2016507171.tif 000002
【図３】
2016507171.tif 000003
【図４（ａ）】
2016507171.tif 000004
【図４（ｂ）】
2016507171.tif 000005
【図５（ａ）】
2016507171.tif 000006
【図５（ｂ）】
2016507171.tif 000007
【図５（ｃ）】
2016507171.tif 000008